(57)【要約】【課題】  輝度ムラの発生を抑制可能な照明装置、液晶装置、該液晶装置を備えた電子機器を提供する。【解決手段】  光を出射するＬＥＤ３１と、正面方向（Ｘ方向）から外側に開いた方向である第１の角度θ１をなす第１の方向に進む光を、正面方向（Ｘ方向）を基準にして第１の方向から外側の方向である第１の角度より大きい第２の角度θ２をなす第２の方向に屈折させる第１の凹凸状部３０Ａが配置された導光板３０とを備えているので、例えば第１の方向に進む光を、正面方向（Ｘ方向）と光の伝播方向とのなす角の角度が大きくなるように（出光角度θｔが小さくなるように）第２の方向に屈折させることができる。従って、従来ではＬＥＤ３１からの光が不足するおそれのあった第２の方向（領域Ｓ）により多くの光を導き、輝度ムラの発生を抑制することができる。【選択図】  図３
2008235141.tif 000002
【特許請求の範囲】
【請求項１】
光源と、
前記光源から入射し、前記光源の正面方向から外側に開いた方向である第１の角度をなす第１の方向に進む光を、前記第１の方向から外側の方向である前記第１の角度より大きい第２の角度をなす第２の方向に屈曲させる複数の突形状部または凹形状部を有する導光部と
を具備することを特徴とする照明装置。
【請求項２】
光源と、
該光源の光出射面に対向する光入射面及び該光入射面に隣接する光出射面を備える導光部とを有し、
前記導光部の光出射面は、筋状に複数の突形状部または凹形状部を有し、
前記突形状部または凹形状部は、前記筋の延在方向と直交する方向と前記光入射面とのなす角が、前記光源から入射した光と前記光入射面とのなす角より大きくなるように形成された境界面を有することを特徴とする照明装置。
【請求項３】
請求項１に記載の照明装置であって、
前記複数の突形状部または凹形状部は、前記正面方向の前記光源の中心軸に対して左右対称に設けられていることを特徴とする照明装置。
【請求項４】
請求項１から請求項３のうちいずれか一項に記載の照明装置であって、
前記導光部は、板形状を有しており、
前記複数の突形状部または凹形状部は、前記導光部の表面及び裏面のうち少なくとも一方に形成されていることを特徴とする照明装置。
【請求項５】
請求項１から請求項４のうちいずれか一項に記載の照明装置であって、
前記光源は、前記導光部の光入射面側に配置された複数の第１の光源を有し、
前記複数の突形状部または凹形状部は、前記複数の第１の光源からそれぞれ出射され前記第１の方向に進む光をそれぞれ前記第２の方向に屈曲させる複数の第１、第２の突形状部または凹形状部を有することを特徴とする照明装置。
【請求項６】
請求項１から請求項５のうちいずれか一項に記載の照明装置であって、
前記光源は、前記導光部の他の光入射面側に配置された第２の光源を有し、
前記複数の突形状部または凹形状部は、前記第２の光源から出射され前記第２の光源の正面方向に対し第３の角度をなす第３の方向に進む光を、前記正面方向に対して前記第３の角度より大きい第４の角度をなす第４の方向に屈曲させる複数の第３の突形状部または凹形状部を有することを特徴とする照明装置。
【請求項７】
請求項１から請求項６のうちいずれか一項に記載の照明装置であって、
前記導光部は、前記光源の中心軸を含む当該光源の幅方向の長さより大きい幅を有する所定領域に当該中心軸に平行な方向に直線状に形成された複数の第４の突形状部または凹形状部を有することを特徴とする照明装置。
【請求項８】
請求項７に記載の照明装置であって、
前記複数の第４の突形状部または凹形状部の谷部から頂上部までの平均高さは、前記複数の突形状部または凹形状部の平均高さに比べて小さいことを特徴とする照明装置。
【請求項９】
請求項１から請求項８のうちいずれか一項に記載の照明装置であって、
前記複数の突形状部または凹形状部は、前記正面方向で前記光源に近づくにつれ前記導光板の中心軸から離れるような曲線形状を有することを特徴とする照明装置。
【請求項１０】
請求項１から請求項９のうちいずれか一項に記載の照明装置であって、
前記複数の突形状部または凹形状部は、前記光源の中心軸に対して第５の角度で配置された複数の第５の突形状部または凹形状部と、前記光源の中心軸に対して前記第５の角度より大きい第６の角度で配置された複数の第６の突形状部または凹形状部とを有することを特徴とする照明装置。
【請求項１１】
光源と、
前記光源から入射し、前記光源の正面方向から外側に開いた方向である第１の角度をなす第１の方向に進む光を、前記第１の方向から外側の方向である前記第１の角度より大きい第２の角度をなす第２の方向に屈曲させる複数の突形状部または凹形状部を有する導光部と、
前記導光部に重なるように設けられた液晶パネルと
を具備することを特徴とする液晶装置。
【請求項１２】
請求項１から請求項１０に記載のうちいずれか一項に記載の照明装置を備えたことを特徴とする電子機器。
【発明の詳細な説明】
【技術分野】
【０００１】
本発明は、パーソナルコンピュータや携帯電話機等の電子機器及び電子機器に用いられる照明装置、液晶装置に関する。
【背景技術】
【０００２】
従来、パーソナルコンピュータや携帯電話機等といった電子機器の表示装置として電気光学装置例えば液晶装置が用いられている。この液晶装置は、例えば２枚の基板間に液晶を封入した液晶パネルと、光を出射するＬＥＤと、ＬＥＤからの光を液晶パネルに導くための導光板とを備えている。しかし、ＬＥＤからの光の拡散性不足により輝度ムラが発生する、という問題があった。
【０００３】
この問題を解決するために、導光板の反射面に拡散パターンとして、直線状の微細な溝を、光源からの光の伝播方向に、不連続に形成する技術が開示されている。（例えば、特許文献１参照。）。
【特許文献１】特開２００６−１６４５３０号公報（［０００８］）。
【発明の開示】
【発明が解決しようとする課題】
【０００４】
しかしながら、上述した技術では、例えば導光板の反射面に形成された凹部は、導光板の長さ方向に設けられているため、光源からの光が導光板の凹部から凹部により形成された領域（隙間）に出射するときに、この出射される光が、光源の正面方向と光の伝播方向とのなす角の角度が小さくなる方向に屈折され、導光板の角部等に光が届かず、輝度ムラが生じるおそれがある、という問題がある。
【０００５】
本発明は、上述の課題に鑑みてなされるもので、輝度ムラの発生を抑制可能な照明装置、液晶装置、該液晶装置を備えた電子機器を提供することを目的とする。
【課題を解決するための手段】
【０００６】
上記目的を達成するために、本発明の主たる観点に係る照明装置は、光源と、前記光源から入射し、前記光源の正面方向から外側に開いた方向である第１の角度をなす第１の方向に進む光を、前記第１の方向から外側の方向である前記第１の角度より大きい第２の角度をなす第２の方向に屈曲させる複数の突形状部または凹形状部を有する導光部とを具備することを特徴とする
【０００７】
ここで、「屈曲」とは、例えば屈折、干渉、反射、散乱等を含む。また、「複数の突形状部または凹形状部」は、例えば波形の凹凸形状も含む。また、第１の角度及び第２の角度は、例えば光源の正面方向を基準にしている。
【０００８】
本発明では、光源と、光源から入射し、光源の正面方向から外側に開いた方向である第１の角度をなす第１の方向に進む光を、第１の方向から外側の方向である第１の角度より大きい第２の角度をなす第２の方向に屈曲させる複数の突形状部または凹形状部を有する導光部とを備えているので、例えば第１の方向に進む光を、正面方向と光の進む方向とのなす角の角度が大きくなるように第２の方向に例えば屈曲させることができる。従って、従来では光源からの光が不足するおそれのあった第２の方向により多くの光を導き、輝度ムラの発生を抑制することができる。
【０００９】
本発明の他の観点に係る照明装置は、光源と、該光源の光出射面に対向する光入射面及び該光入射面に隣接する光出射面を備える導光部とを有し、前記導光部の光出射面は、筋状に複数の突形状部または凹形状部を有し、前記突形状部または凹形状部は、前記筋の延在方向と直交する方向と前記光入射面とのなす角が、前記光源から入射した光と前記光入射面とのなす角より大きくなるように形成された境界面を有することを特徴とする。
【００１０】
ここで、「筋状」とは、例えば複数の突形状部（プリズム）や波形の凹凸の山頂等が連なった状態をいう。
【００１１】
本発明では、光源と、該光源の光出射面に対向する光入射面及び該光入射面に隣接する光出射面を備える導光部とを有し、導光部の光出射面は、筋状に複数の突形状部または凹形状部を有し、突形状部または凹形状部は、筋の延在方向と直交する方向と前記光入射面とのなす角が、光源から入射した光と光入射面とのなす角より大きくなるように形成された境界面を有するので、例えば光源から出射され突形状部または凹形状部内を進み境界面に達した光を境界面で、光の進む方向と光入射面とのなす角の角度が小さくなるように例えば屈曲させることができる。従って、従来では光源からの光が不足するおそれのあった方向により多くの光を導き、輝度ムラの発生を抑制することができる。
【００１２】
本発明の一の形態によれば、前記複数の突形状部または凹形状部は、前記正面方向の前記光源の中心軸に対して左右対称に設けられていることを特徴とする。これにより、複数の突形状部または凹形状部は、光源の正面方向の光源の中心軸に対して左右対称に設けられているので、光源の中心軸を軸としてそれぞれ左右両側に例えば第１の角度等で出射された光を、正面方向と光の伝播方向とのなす角の角度がそれぞれ大きくなる第２の方向等に積極的に導き、結果として、光源の中心軸に対して左右逆向きとなるように光を屈曲させ、光源の中心軸に対して直交する方向に亘って輝度ムラを抑制することができる。
【００１３】
本発明の一の形態によれば、前記複数の突形状部または凹形状は、前記導光部の表面及び裏面のうち少なくとも一方に形成されていることを特徴とする。これにより、複数の突形状部または凹形状部は、導光部の表面及び裏面のうち少なくとも一方に形成されているので、例えば表面及び裏面に複数の突形状部または凹形状部が形成されている場合には、光の屈曲効果をより増大させることで、効果的かつ確実に光を第２の方向に屈曲させ輝度ムラの発生を抑制することができる。また、例えば導光部の表面に複数の突形状部または凹形状部を配置することで、例えば偏光板との関係で光学的な縞模様が生じることを防止することができる。
【００１４】
本発明の一の形態によれば、前記光源は、前記導光部の光入射面側に配置された複数の第１の光源を有し、前記複数の突形状部または凹形状部は、前記複数の第１の光源からそれぞれ出射され前記第１の方向に進む光をそれぞれ前記第２の方向に屈曲させる複数の第１、第２の突形状部または凹形状部を有することを特徴とする。これにより、複数の突形状部または凹形状部は、複数の第１の光源からそれぞれ出射され第１の方向に進む光をそれぞれ第２の方向に屈曲させる複数の第１、第２の突形状部または凹形状部を有するので、例えば複数の第１の光源から出射された光を、第１、第２の突形状部または凹形状部によりそれぞれ第２の方向に屈曲させ、第２の方向への光量をより増加させて、より効果的に輝度ムラの発生を抑制することができる。このように、複数の光源を備える場合にも、輝度ムラの発生を抑制することができる。
【００１５】
本発明の一の形態によれば、前記光源は、前記導光部の他の光入射面側に配置された第２の光源を有し、前記複数の突形状部または凹形状部は、前記第２の光源から出射され前記第２の光源の正面方向に対し第３の角度をなす第３の方向に進む光を、前記正面方向に対して前記第３の角度より大きい第４の角度をなす第４の方向に屈曲させる複数の第３の突形状部または凹形状部を有することを特徴とする。これにより、光源は、導光部の他の光入射面側に配置された第２の光源を有し、複数の突形状部または凹形状部は、第２の光源から出射され第２の光源の正面方向に対し第３の角度をなす第３の方向に進む光を、正面方向に対して第３の角度より大きい第４の角度をなす第４の方向に屈曲させる複数の第３の突形状部または凹形状部を有するので、例えば大型の導光部の光入射面側と、他の光入射面側との両側から第１、第２の光源により光を照射する場合に、第１、第２の光源から出射された光を、第１、第２、第３の突形状部または凹形状部によりそれぞれ第２、第４の方向に屈折させ、輝度ムラの発生を抑制することができる。
【００１６】
本発明の一の形態によれば、前記導光部は、前記光源の中心軸を含む当該光源の幅方向の長さより大きい幅を有する所定領域に当該中心軸に平行な方向に直線状に形成された複数の第４の突形状部または凹形状部を有することを特徴とする。これにより、例えば中心軸に平行な方向に直交する方向に凹形状部が直線状に形成されている場合に比べて、光源から中心軸に平行な方向に出射された光が第４の凹凸状部の境界面から外部へ必要以上に出射されることを防止し、光源の正面付近で明るくなり過ぎることを防止することができる。
【００１７】
本発明の一の形態によれば、前記複数の第４の突形状部または凹形状部の谷部から頂上部までの平均高さは、前記複数の突形状部または凹形状部の平均高さに比べて小さいことを特徴とする。
【００１８】
ここで、「平均高さ」とは、例えば導光部の表面の算術平均粗さＲａをいう。算術平均粗さＲａは、粗さ曲線からその平均線の方向に基準長さＬだけを抜き取り、この抜き取り部分の平均線の方向にＸ軸を、縦方向にＹ軸を取り、粗さ曲線をＹ＝ｆ（Ｘ）で表したときに、Ｒａ＝∫｜ｆ（Ｘ）｜ｄＸ／Ｌで求められる（積分範囲は０〜Ｌ）。
【００１９】
これにより、複数の第４の突形状部または凹形状部の谷部から頂上部までの平均高さは、複数の突形状部または凹形状部の平均高さに比べて小さいので、複数の第４の突形状部または凹形状部の平均高さが複数の突形状部または凹形状部の平均高さと同じ場合に比べて、複数の第４の突形状部または凹形状部の外部との境界面の面積が小さくなり、複数の第４の突形状部または凹形状部で屈曲する光の量を複数の突形状部または凹形状部で屈曲する光の量より少なくすることができる。従って、例えば光源の正面側で複数の第４の突形状部または凹形状部により光が屈曲され明るくなり過ぎることを防止することができる。
【００２０】
本発明の一の形態によれば、前記複数の突形状部または凹形状部は、前記正面方向で前記光源に近づくにつれ前記導光板の中心軸から離れるような曲線形状を有することを特徴とする。これにより、複数の突形状部または凹形状部は、正面方向で光源に近づくにつれ導光板の中心軸から離れるような曲線形状を有するので、例えば第４の突形状部または凹形状部と突形状部または凹形状部との境界をなくし輝度の境界をなくすことができる。
【００２１】
本発明の一の形態によれば、前記複数の突形状部または凹形状部は、前記光源の中心軸に対して第５の角度で配置された複数の第５の突形状部または凹形状部と、前記光源の中心軸に対して前記第５の角度より大きい第６の角度で配置された複数の第６の突形状部または凹形状部とを有することを特徴とする。これにより、第４の突形状部または凹形状部と、第６の突形状部または凹形状部とが隣接する場合に第４の突形状部または凹形状部と、第６の突形状部または凹形状部とがなす角の角度に比べて、隣り合う第４の突形状部または凹形状部と第５の突形状部または凹形状部とのなす角の角度、隣り合う第５の突形状部または凹形状部と第６の突形状部または凹形状部とのなす角の角度をそれぞれ小さくすることができる。この結果、隣り合う凹凸状部の角度の違いによる光の強さの違いを抑制することができ各境界での輝度の違いを目立たなくすることができる。
【００２２】
本発明の他の観点に係る液晶装置は、光源と、前記光源から入射し、前記光源の正面方向から外側に開いた方向である第１の角度をなす第１の方向に進む光を、前記第１の方向から外側の方向である前記第１の角度より大きい第２の角度をなす第２の方向に屈曲させる複数の突形状部または凹形状部を有する導光部と、前記導光部に重なるように設けられた液晶パネルとを具備することを特徴とする。
【００２３】
本発明では、光源と、光源から入射し、光源の正面方向から外側に開いた方向である第１の角度をなす第１の方向に進む光を、第１の方向から外側の方向である第１の角度より大きい第２の角度をなす第２の方向に屈曲させる複数の突形状部または凹形状部を有する導光部と、導光部に重なるように設けられた液晶パネルとを備えているので、例えば第１の方向に進む光を、光源の正面方向と光の進む方向とのなす角の角度が大きくなるように第２の方向に例えば屈曲させることができる。従って、従来では光源からの光が不足するおそれのあった第２の方向により多くの光を導き、輝度ムラの発生を抑制することができる。この結果、輝度ムラが抑制された表示品位に優れた液晶装置を得ることができる。
【００２４】
本発明の他の観点に係る電子機器は、上述した照明装置を備えたことを特徴とする。
【００２５】
本発明では、輝度ムラの発生を防止可能な照明装置を備えているので、表示品位に優れた電子機器を得ることができる。
【００２６】
本発明の他の観点に係る照明装置は、光源と、外部との境界面の法線と前記光源の正面とのなす角が、前記境界面に入射した入射光と前記光源の正面とのなす角より大きくなるように形成された前記境界面を備えた凹凸形状部を有する導光部とを具備することを特徴とする。
【００２７】
本発明では、光源と、外部との境界面の法線と光源の正面とのなす角が、境界面に入射した入射光と光源の正面とのなす角より大きくなるように形成された境界面を備えた凹凸形状部を有する導光部とを備えているので、例えば光源から出射され凹凸状部内を進み境界面に達した光を境界面で、光の進む方向と光源の正面とのなす角の角度が小さくなるように例えば屈折させることができる。従って、従来では光源からの光が不足するおそれのあった方向により多くの光を導き、輝度ムラの発生を抑制することができる。
【００２８】
本発明の一の形態によれば、前記所定領域は、前記導光部の長手方向で前記光源側の端から前記導光部の長手方向の長さの少なくとも２／３の長さとなる領域であることを特徴とする。これにより、所定領域は、導光部の長手方向で光源側の端から導光部の長手方向の長さの少なくとも２／３の長さとなる領域であるので、光源の正面付近で確実に第４の凹凸状部による光の屈折を低減し光源の正面付近で明るくなり過ぎることを防止することができると共に、２／３を超える領域では元々光の量が正面付近に比べて少ないので、導光部の長手方向の長さの２／３を超える領域で明るくなり過ぎることもない。
【００２９】
本発明の一の形態によれば、前記光源の中心軸を含む当該光源の幅方向の長さより大きい幅を有する所定領域は、前記導光部の長手方向で前記光源側の端から前記導光部の長手方向の長さの少なくとも１／２の長さとなる領域であることを特徴とする。これにより、光源の正面付近で確実に第４の凹凸状部による光の屈折を低減し光源の正面付近で明るくなりすぎることを防止することができる。また、導光部の長手方向の長さの１／２を超える領域では、曲線形状の凹凸状部が第４の凹凸状部に平行になるように配置されているので、曲線形状の凹凸状部の境界面から光が出射される量を低減することができる。
【００３０】
本発明の一の形態によれば、前記複数の第４の凹凸状部の谷部から頂上部までの平均高さは、前記複数の第５、第６の凹凸状部の平均高さに比べて小さいことを特徴とする。これにより、複数の第４の凹凸状部の平均高さが複数の第５、第６の凹凸状部の平均高さと同じ場合に比べて、複数の第４の凹凸状部で屈折する光の量を複数の第５、第６の凹凸状部で屈折する光の量より少なくすることができる。従って、光源の正面側で複数の第４の凹凸状部の境界面から出る光の量を低減し光源の正面付近で明るくなり過ぎることを防止することができる。
【発明を実施するための最良の形態】
【００３１】
以下、本発明に係る実施形態を図面に基づき説明する。なお、以下実施形態を説明するにあたっては、照明装置を備えた液晶装置、具体的には反射半透過型のＴＦＴ（Ｔｈｉｎ  Ｆｉｌｍ  Ｔｒａｎｓｉｓｔｏｒ）アクティブマトリックス方式の液晶装置及び液晶装置を用いた電子機器について説明するが、これに限られるものではない。また、以下の図面においては各構成をわかりやすくするために、実際の構造と各構造における縮尺や数等が異なっている。
【００３２】
（第１の実施形態）
【００３３】
図１は本発明に係る第１の実施形態の液晶装置の概略斜視図、図２は図１の液晶装置のＡ−Ａ断面図、図３は図１の液晶装置の導光板の平面図、図４は図３の導光板に入射した光の放射角と出光角との関係を示す図、図５は導光板の第１の凹凸状部の概略拡大斜視図である。
【００３４】
（液晶装置の構成）
【００３５】
液晶装置１は、図１、図２に示すように、液晶パネル２と、液晶パネル２に接続された回路基板３と、液晶パネル２に光を照射するための照明装置４とを備えている。なお、液晶装置１は、液晶パネル２を支持するフレーム５等のその他の付帯機構が必要に応じて付設される。
【００３６】
液晶パネル２は、基板６と、基板６に対向するように設けられた基板７と、基板６、７の間に設けられたシール材８及び基板６、７により封止された図示しない液晶とを備えている。液晶には、例えばＴＮ（Ｔｗｉｓｔｅｄ  Ｎｅｍａｔｉｃ）が用いられている。
【００３７】
基板６及び基板７は、例えばガラスや合成樹脂といった透光性を有する材料からなる板状部材である。基板６の液晶側には、ゲート電極９、ソース電極１０、薄膜トランジスタ素子Ｔ及び画素電極１１が形成されており、基板７の液晶側には、共通電極７ａが形成されている。
【００３８】
ゲート電極９はＸ方向に、ソース電極１０はＹ方向に、それぞれ例えばアルミニウム等の金属材料等によって形成されている。ソース電極１０は、例えば図１に示すように上半分が左側に、下半分が右側に引き回されて形成されている。なお、ゲート電極９及びソース電極１０の本数は、液晶装置１の解像度や表示領域の大きさに応じて適宜変更可能である。
【００３９】
薄膜トランジスタ素子Ｔは、ゲート電極９、ソース電極１０及び画素電極１１にそれぞれ接続される３つの端子を備えている。薄膜トランジスタ素子Ｔは画素電極１１、ゲート電極９、ソース電極１０に電気的に接続されている。これにより、ゲート電極９に電圧を印加したときにソース電極１０から画素電極１１に又はその逆に電流が流れるように構成されている。
【００４０】
また、基板６は、基板７の外縁から張り出した領域（以下、「張り出し部」と表記する）６ａを備えている。張り出し部６ａの面上には、出力配線１２〜１４、入力配線１５〜１７が付設されていると共に、例えば液晶を駆動するためのドライバＩＣ１８が実装されている。
【００４１】
出力配線１２は、図２に示すように一端部１９がドライバＩＣ１８のドライバ側出力端子２０に接続され、他側がゲート電極９に繋がっている。出力配線１３及び出力配線１４は、一端部がドライバＩＣ１８の図示しないドライバ側出力端子に接続され、他側がソース電極１０に繋がっている。
【００４２】
入力配線１５は、図２に示すように、一端部２２が回路基板３の可撓性基材２３の一面側に付設された配線２４の一端部にＡＣＦ２５を介して接続され、ドライバＩＣ１８側の他端部がドライバＩＣ１８のドライバ側入力端子２６に接続されている。なお、入力配線１６、１７は、それぞれ一端部がドライバＩＣ１８の図示しないドライバ側入力端子に接続され、他端部が可撓性基材２３の一面側に付設された図１に示す配線２７、２８にＡＣＦ２５を介して接続されている。
【００４３】
ドライバＩＣ１８は、ドライバＩＣ１８の基材と、基材の基板６と対向する実装面側に突設されたドライバ側入力端子２６、ドライバ側出力端子２０とを備えている。ドライバＩＣ１８は接着材等により基板６側に接着されている。
【００４４】
回路基板３は、図１、図２に示すように、一端部が張り出し部６ａに例えばＡＣＦ２５を介して接続されていると共に曲げて設けられて、図２に示すように、他端部が反射板３２に接続されている。回路基板３は、可撓性基材２３と、可撓性基材２３の一面（内面）側に設けられた配線２４、２７及び２８とを備えている。可撓性基材２３には、例えばこの他にも図示しない半導体ＩＣ等が実装されている。
【００４５】
可撓性基材２３は、回路基板３の基材として用いられており、例えば構成材料には樹脂材料等が用いられている。樹脂材料としては、例えばポリイミドが用いられている。
【００４６】
配線２４、２７及び２８は、可撓性基材２３の一面（内面）側に設けられている。配線２４は、図２に示すように張り出し部６ａ側の一端部がＡＣＦ２５を介して入力配線１５の一端部２２に接続されており、他端部は図示しない半導体ＩＣに接続されている。配線２７、２８は、一端部がＡＣＦ２５を介して入力配線１６、１７に接続されており、他端部は例えば図示しない半導体ＩＣに接続されている。
【００４７】
照明装置４は、図２に示すように、液晶パネル２に重なるように設けられた導光板３０と、光源としてのＬＥＤ３１とを備えている。なお、導光板３０の外側には、例えば反射板３２が導光板３０に重なるように配置されている。
【００４８】
導光板３０は、図３に示すように、ＬＥＤ３１から出射された光を屈折させる複数の突形状部または凹形状部としての第１の凹凸状部３０Ａと、ＬＥＤ３１側に配置された光入射面としての一側面３０Ｂと、ＬＥＤ３１側とは反対側に一側面３０Ｂと平行に設けられた他側面３０Ｃと、一側面３０Ｂに隣接する光出射面３０Ｓとを備えている。導光板３０の屈折率は例えば１．５であり、構成材料には例えばアクリル樹脂、ポリイミド等の透明材料が用いられている。
【００４９】
第１の凹凸状部３０Ａは、図３に示すように、導光板３０の一側面３０Ｂに対して傾斜角度θｄで光出射面３０Ｓに設けられている。傾斜角度θｄは、例えば９０度より大きく（好ましくは１３０度以上）１５０度以下に設定されている。
【００５０】
図４は、導光板３０にＬＥＤ３１から入射した光の放射角θｏを横軸にとり出光角θｔを縦軸にとったグラフである。放射角度θｏは、図３に示すように、導光板３０の一側面３０Ｂと、ＬＥＤ３１から出射される光の伝播方向とのなす角である放射角の角度である。ＬＥＤ３１から出射された光は例えば放射角θｏが２０度から１６０度の範囲で出射される。図３の放射角θｏは放射角が２０度のときを示し、放射角θｏ´は放射角が１６０度のときを示している。出光角度θｔは、図３に示すように、導光板３０の一側面３０Ｂと、第１の凹凸状部３０Ａで屈折された屈折光の伝播方向とのなす角である出光角の角度である。図４は、傾斜角度θｄをそれぞれ５０度から１８０度の間で所定角度間隔（例えば１０度）変更して、放射角度θｏに対する出光角度θｔを測定した結果である。
【００５１】
図４に示すように、所定の（例えば３０度の）放射角度θｏで光を射出したときに、従来のように傾斜角度が９０度の場合に比べて傾斜角度θｄが９０度より大きく１５０度以下の場合に出光角度θｔが小さくなる。
【００５２】
また、図４に示すように、所定の（例えば３０度の）放射角度θｏで光を射出したときに、従来のように傾斜角度が９０度の場合に比べて傾斜角度θｄが０度から９０度、１６０度から１８０度の場合に出光角度θｔが大きくなる。
【００５３】
第１の凹凸状部３０Ａは、図５に示すように、外部との境界面Ｋの法線ｎとＬＥＤ３１の正面（を含む平面）とのなす角θ９が、境界面Ｋに入射した入射光とＬＥＤ３１の正面（を含む平面）とのなす角θ１０より大きくなるように形成された境界面Ｋを備えている。つまり、図５に示すように、第１の凹形状部３０Ａは、例えば第１の凹凸状部３０Ａの頂部である筋の延在方向Ｅ１と直交する方向Ｅ２と導光板３０の光入射面としての一側面３０Ｂとのなす角θ９が、ＬＥＤ３１から入射した光と一側面３０Ｂとのなす角θ１０より大きくなるように形成された境界面Ｋを有している。
【００５４】
第１の凹凸状部３０Ａは、図３に示すように、傾斜方向に筋状に複数設けられている。筋状とは、例えば複数の波形の第１の凹凸状部３０Ａの山頂等が連なった状態をいう。なお、第１の凹凸状部３０Ａは、傾斜方向で連続的に設ける（一本の直線になる）ようにしてもよい。第１の凹凸状部３０Ａは、図３に示すように、ＬＥＤ３１の正面方向（Ｘ方向）のＬＥＤ３１の中心軸Ｘ´に対して左右対称にそれぞれ設けられている。第１の凹凸状部３０Ａは、例えばＬＥＤ３１に近づくにつれＬＥＤ３１の中心軸Ｘ´から離れるように傾斜して設けられている。
【００５５】
第１の凹凸状部３０Ａの表面粗さＲａは、例えば０．４μｍ〜０．７μｍである。
【００５６】
第１の凹凸状部３０Ａの凹部（谷部）３０Ｖの角度θｖは、図５に示すように、例えば０度より大きく４０度以下となるように設定されている。これにより、角度θｖを４０度以下とすることで、第１の凹凸状部３０Ａに入射した光が基板６側に出射されなくなることを防止することができる。
【００５７】
第１の凹凸状部３０Ａは、図２に示すように例えば導光板３０の表面（光出射面）に形成されている。導光板３０の裏面には、図２に示すように、導光板３０の長手方向に亘る凹凸状部３０Ｄが形成されている。
【００５８】
ＬＥＤ３１は、図２、図３に示すように導光板３０の一側面３０Ｂに隣接して配置されると共に、図３に示すように導光板３０の幅方向（Ｙ方向）中央に配置されている。
【００５９】
（作用）
【００６０】
ＬＥＤ３１は、図３に示すように、放射角度θｏが２０度から１６０度の範囲で光を出射する。
【００６１】
図３に示すように、例えばＬＥＤ３１から放射角度θｏで（ＬＥＤ３１の正面方向（中心軸Ｘ´）に対して第１の角度θ１（＝９０°−θｏ）をなす第１の方向に）出射された光は、図３、図５に示すように、第１の凹凸状部３０Ａに入射角θＡで入射し、中心軸Ｘ´方向に対して第１の角度θ１より大きい第２の角度θ２をなす第２の方向に屈折角θＢで屈折する。このとき、図３、図５に示すように、スネルの法則により、屈折角θＢは入射角θＡより大きくなる。
【００６２】
例えば、第１の凹凸状部３０Ａを通過する光は、出光角度θｔが放射角度θｏより小さくなるように屈折する。例えば、ＬＥＤ３１から放射角度θｏ＝３０度で出射された光は、第１の凹凸状部３０Ａにより出光角度θｔ＝１９度となるように屈折される。
【００６３】
その結果、図３に示すように、導光板３０のＬＥＤ３１に近い２つの角部に近い領域Ｓに光が導かれる。
【００６４】
（液晶装置１の製造方法）
【００６５】
次に、液晶装置１の製造方法について図面を参照しながら説明する。
【００６６】
図６は第１の実施形態の液晶装置１の製造工程を示すフローチャートである。なお、本実施形態では、導光板３０に第１の凹凸状部３０Ａを形成する工程（Ｓ４）について中心的に説明する。
【００６７】
まず、液晶パネル２を製造する（Ｓ１）一方で、回路基板３を製造し（Ｓ２）、ＡＣＦ２５を介して回路基板３を液晶パネル２に接続する（Ｓ３）。
【００６８】
次いで、例えば第１の凹凸状部３０Ａを形成するための凹凸が形成された金型と、凹凸状部３０Ｄを形成するための凹凸が形成された金型との間に、導光板３０の樹脂材料を射出し封入する。次いで、樹脂材料が硬化した後に、金型を分離し、表面に第１の凹凸状部３０Ａ、裏面に凹凸状部３０Ｄが形成された導光板３０を製造する（Ｓ４）。
【００６９】
続いて、液晶パネル２にフレーム５、導光板３０及び反射板３２を固定し、回路基板３を曲げて回路基板３の他端部を例えば反射板３２に接着する等して液晶装置１を製造する（Ｓ５）。
【００７０】
以上で液晶装置１の製造方法についての説明を終了する。
【００７１】
このように本実施形態によれば、光を出射するＬＥＤ３１と、正面方向（Ｘ方向）から外側に開いた方向である第１の角度θ１をなす第１の方向に進む光を、正面方向（Ｘ方向）を基準にして第１の方向から外側の方向である第１の角度より大きい第２の角度θ２をなす第２の方向に屈折させる第１の凹凸状部３０Ａが配置された導光板３０とを備えているので、例えば第１の方向に進む光を、正面方向（Ｘ方向）と光の伝播方向とのなす角の角度が大きくなるように（出光角度θｔが小さくなるように）第２の方向に屈折させることができる。従って、従来ではＬＥＤ３１からの光が不足するおそれのあった第２の方向（領域Ｓ）により多くの光を導き、輝度ムラの発生を抑制することができる。
【００７２】
また、第１の凹凸状部３０Ａは、ＬＥＤ３１の中心軸Ｘ´に対して左右対称にそれぞれ設けられている。これにより、ｌＥＤ３１の中心軸Ｘ´を軸としてそれぞれ左右両側に例えば第１の角度θ１等で出射された光を、正面方向（Ｘ方向）と光の伝播方向とのなす角の角度がそれぞれ大きくなる第２の方向等に積極的に導き、それぞれの領域Ｓを明るくし、ＬＥＤ３１の中心軸Ｘ´に対して直交する方向に亘って輝度ムラを抑制することができる。
【００７３】
更に、第１の凹凸状部３０Ａは、図２に示すように導光板３０の表面（光出射面３０Ｓ）に形成されている。導光板３０の裏面には、図２に示すように、導光板３０の長手方向に亘る凹凸状部３０Ｄが形成されている。これにより、例えば導光板３０の表面（光出射面３０Ｓ）及び裏面での光の屈折効果等をより増大させることで、効果的かつ確実に光を第２の方向に光を屈折させ輝度ムラの発生を抑制することができる。また、例えば導光板３０の表面に第１の凹凸状部３０Ａを配置することで、例えば図示しない偏光板との関係で光学的な縞模様が生じることを防止することができる。
【００７４】
（第１の変形例）
【００７５】
次に、第１の変形例の液晶装置を図面を参照しながら説明する。なお、本変形例以降においては、第１の実施形態の構成要素と共通する構成要素等については、第１の実施形態の構成要素と同一の符号を付しその説明を省略し異なる箇所を中心的に説明する。
【００７６】
図７は第１の変形例の液晶装置の導光板の概略平面図である。
【００７７】
本変形例の液晶装置は、第１の実施形態の導光板３０に代えて図７に示す導光板４０を備えている。
【００７８】
導光板４０は、図７に示すように、複数の第４の凹凸状部４１が配置された中央領域４０Ａと、中央領域４０Ａの両隣に設けられ第１の実施の形態と同様に第１の凹凸状部３０Ａが配置された領域４０Ｂ、４０Ｃとを備えている。
【００７９】
中央領域４０Ａの幅ｗ２は、図７に示すように、例えばＬＥＤ３１の幅ｗ１より長い。例えばＬＥＤ３１の幅ｗ１が２ｍｍのときには、中央領域４０Ａの幅ｗ２は３〜４ｍｍ程度である。
【００８０】
中央領域４０Ａに配置された複数の第４の凹凸状部４１は、図７に示すように、ＬＥＤ３１の中心軸Ｘ´の近くで中心軸Ｘ´の方向（Ｘ方向）に直線状に複数配列されると共に導光板４０の幅方向（Ｙ方向）に所定間隔で複数配列されている。
【００８１】
このように本変形例によれば、導光板４０は、ＬＥＤ３１の中心軸Ｘ´の近くで中心軸Ｘ´の方向（Ｘ方向）に直線状に形成された複数の第４の凹凸状部４１を備えているので、例えば中心軸Ｘ´の方向（Ｘ方向）に直交する方向（Ｙ方向）に凹凸状部が直線状に形成されている場合に比べて、ＬＥＤ３１から中心軸Ｘ´の方向（Ｘ方向）に出射された光が第４の凹凸状部４１の境界面から外部へ必要以上に出射されることを防止し、ＬＥＤ３１の正面付近で明るくなり過ぎることを防止することができる。
【００８２】
図８は本発明に係る他の導光板の概略平面図である。
【００８３】
導光板３０´は、図７に示す導光板３０に比べて、中央領域４０Ａが配置されている領域が異なっている。
【００８４】
導光板３０´の中央領域４０Ａは、図８に示すように、導光板３０´のＬＥＤ３１側の端から導光板３０´の長手方向（Ｘ方向）の長さＬの２Ｌ／３の長さで配置されている。
【００８５】
これにより、ＬＥＤ３１の正面付近で確実に第４の凹凸状部４１の境界面から出る光の量を低減しＬＥＤ３１の正面付近で明るくなり過ぎることを防止することができると共に、２Ｌ／３を超える領域では元々光の量が正面付近に比べて少ないので、導光板３０´の長手方向の長さの２Ｌ／３を超える領域で明るくなり過ぎることもない。
【００８６】
図９は図７、図８の液晶装置の導光板のＢ−Ｂ断面図である。
【００８７】
なお、上記変形例１などにおいて、図９に示すように、複数の第４の凹凸状部４１の算術平均粗さＲａが、複数の第１の凹凸状部３０Ａの算術平均粗さＲａに比べて小さくなるようにしてもよい。例えば複数の第４の凹凸状部４１の谷部から頂上部までの平均高さは、複数の第１の凹凸状部３０Ａの平均高さに比べて小さい。例えば第１の凹凸状部３０Ａの算術平均粗さＲａを０．４μｍ〜０．７μｍに設定し、第４の凹凸状部４１の算術平均粗さＲａを０．１μｍ〜０．４μｍ未満に設定すればよい。ここで、算術平均粗さＲａは、粗さ曲線からその平均線の方向に基準長さＬだけを抜き取り、この抜き取り部分の平均線の方向にＸ軸を、縦方向にＹ軸を取り、粗さ曲線をＹ＝ｆ（Ｘ）で表したときに、Ｒａ＝∫｜ｆ（Ｘ）｜ｄＸ／Ｌで求められる（積分範囲は０〜Ｌ）。
【００８８】
このような構成によれば、複数の第４の凹凸状部４１の算術平均粗さＲａは、複数の第１の凹凸状部３０Ａの算術平均粗さＲａに比べて小さいので、複数の第４の凹凸状部４１の算術平均粗さＲａが複数の第１の凹凸状部３０Ａの算術平均粗さＲａと同じ場合に比べて、複数の第４の凹凸状部４１の境界面から出射する光の量を複数の第１の凹凸状部３０Ａの境界面から出射する光の量より少なくすることができる。従って、例えばＬＥＤ３１の正面側の中央領域４０ａで複数の第４の凹凸状部４１の境界面から出る光により正面付近が明るくなり過ぎることを防止することができる。
【００８９】
（第２の変形例）
【００９０】
次に、第２の変形例の液晶装置を図面を参照しながら説明する。
【００９１】
図１０は第２の変形例の液晶装置の導光板の概略平面図である。
【００９２】
本変形例の液晶装置は、第１の変形例の導光板４０に代えて図１０に示す導光板５０を備えている。
【００９３】
導光板５０は、図１０に示すように、第１の変形例の導光板４０と同様に中央領域４０Ａを備え、導光板５０の幅方向（Ｙ方向）の両外側領域に領域５０Ａ、５０Ｂを備え、中央領域４０Ａと領域５０Ａとの間に中間領域５０Ｃを備え、中央領域４０Ａと領域５０Ｂとの間には中間領域５０Ｄを備えている。
【００９４】
領域５０Ａ、５０Ｂには、第１の凹凸状部３０Ａと同様の第６の凹凸状部６１が複数形成されている。
【００９５】
中間領域５０Ｃには、導光板５０の一側面３０Ｂに対して傾斜角度θｄより小さく９０度より大きい第６の角度θｄで傾斜して設けられた第５の凹凸状部５１が配置されている。第５の凹凸状部５１は、第４の凹凸状部４１に対して第５の角度θ５で配置されると共に、第６の凹凸状部６１は、第４の凹凸状部４１に対して第５の角度θ５より大きい第６の角度θ６で配置されている。すなわち、第５の凹凸状部５１は、一側面３０Ｂに対して、第６の凹凸状部６１より傾斜して（起きるように）配置されている。
【００９６】
第５の凹凸状部５１は、第６の凹凸状部６１より導光板５０の幅方向でより中心側の領域に配置されている。
【００９７】
複数の第４の凹凸状部４１の算術平均粗さＲａは、複数の第６の凹凸状部６１の算術平均粗さＲａ、複数の第５の凹凸状部５１の算術平均粗さＲａに比べて小さい。例えば第６の凹凸状部６１の算術平均粗さＲａ、第５の凹凸状部５１の算術平均粗さＲａは０．４μｍ〜０．７μｍに設定されており、第４の凹凸状部４１の算術平均粗さＲａは０．１μｍ〜０．４μｍ未満に設定されている。
【００９８】
本変形例では、導光板５０は、第４の凹凸状部４１に対して第５の角度θ５で配置された第５の凹凸状部５１と、第４の凹凸状部４１に対して第５の角度θ５より大きい第６の角度θ６で配置された第６の凹凸状部６１とを備えている。つまり、第６の凹凸状部６１と、第４の凹凸状部４１との間に、一側面３０Ｂに対してより傾斜して配置された第５の凹凸状部５１を備えている。
【００９９】
これにより、第４の凹凸状部４１と、第６の凹凸状部６１とが隣接する場合に第４の凹凸状部４１と、第６の凹凸状部６１とがなす角の角度に比べて、第４の凹凸状部４１と第５の凹凸状部５１とのなす角の第５の角度θ５、第５の凹凸状部５１と第６の凹凸状部６１とのなす角の角度（θ６−θ５）とをそれぞれ小さくすることができる。この結果、角度の違いにより凹凸状部からの光の強さの違いを抑制することができ各境界での輝度の違いを目立たなくすることができる。
【０１００】
また、複数の第４の凹凸状部４１の算術平均粗さＲａは、複数の第６の凹凸状部６１の算術平均粗さＲａ、複数の第５の凹凸状部５１の算術平均粗さＲａに比べて小さい。これにより、複数の第４の凹凸状部４１から出る光の量を複数の第６の凹凸状部６１、第５の凹凸状部５１から出る光の量より少なくすることができる。従って、例えばＬＥＤ３１の正面側で複数の第４の凹凸状部４１の境界面から多くの光が出て明るくなり過ぎることを防止することができる。なお、複数の第６の凹凸状部６１の平均粗さＲａと、複数の第５の凹凸状部５１の平均粗さＲａとは、いずれか一方が他方より大きくてもよいし、同じでもよい。
【０１０１】
図１１は本発明に係る他の液晶装置の導光板の概略平面図である。
【０１０２】
導光板６０は、図１０に示す導光板５０に比べて、第７の凹凸状部６０Ａの形状が異なっている。
【０１０３】
導光板６０は、ＬＥＤ３１の正面方向（Ｘ方向）でＬＥＤ３１に近づくにつれＬＥＤ３１の中心軸Ｘ´から離れるような曲線形状を有する第７の凹凸状部６０Ａを複数備えている。図１１に示すように、例えば導光板６０の長手方向（Ｘ方向）で、ＬＥＤ３１からに離れた領域Ｒ１と、ＬＥＤ３１に近い領域Ｒ２とで比べると、第７の凹凸状部６０Ａは、領域Ｒ２での導光板６０の一側面６０Ｂに対する傾斜角度θｄが領域Ｒ１での傾斜角度θｄ´より大きくなっている。第７の凹凸状部６０Ａは、導光板６０の表面で連続的に配置されている。第７の凹凸状部６０Ａは、ＬＥＤ３１の正面方向（Ｘ方向）に平行なＬＥＤ３１の中心軸Ｘ´に対して左右対称にそれぞれ設けられている。なお、第７の凹凸状部６０Ａは、導光板６０の表面に不連続的に配置されていてもよい。
【０１０４】
これにより、第７の凹凸状部６０Ａで光が屈折する位置が連続的に変化するのに伴い光の屈折角が連続的に変化するようにして輝度の違いをより低減し境界を目立たなくすることができる。
【０１０５】
なお、図示は省略するが、図１０、図１１に示した導光板５０、６０において、ＬＥＤ３１の正面側の領域に、ＬＥＤ３１側の端から導光板５０、６０の長手方向の長さＬのＬ／２の長さで第４の凹凸状部４１を有する中央領域を配置するようにしてもよい。
【０１０６】
これにより、ＬＥＤ３１の正面付近で確実に第４の凹凸状部４１から出る光の量を低減しＬＥＤ３１の正面付近で明るくなりすぎることを防止することができる。また、この場合、図示は省略したが、導光板５０、６０の長手方向の長さＬの１／２を超える領域では、第５の凹凸状部５１、曲線形状の第７の凹凸状部６０Ａが第４の凹凸状部４１に平行に近くなるように配置されるので、光が出る量を低減することができる。なお、長さＬの１／２は１／２に限定されるものではなく導光板５０、６０の面上の明るさを調整するために最適な長さを選定できる。
【０１０７】
（第３の変形例）
【０１０８】
次に、第３の変形例の液晶装置を図面を参照しながら説明する。
【０１０９】
図１２は第３の変形例の液晶装置の導光板の概略平面図である。
【０１１０】
本変形例の液晶装置は、第１の変形例の導光板４０に代えて図１２に示す導光板７０を備えると共に、ＬＥＤ３１Ａ，３１Ｂを備えている。
【０１１１】
ＬＥＤ３１Ａ，３１Ｂは、図１２に示すように導光板７０の一側面３０Ｂに沿うように配置されている。
【０１１２】
導光板７０は、図１２に示すように、幅方向（Ｙ方向）の中央に配置された中央領域７０Ａと、ＬＥＤ３１Ａの正面側に配置された領域７０Ｂと、領域７０Ｂを中心に領域７０Ｂの両側に左右対称に設けられた傾斜領域７０Ｃ、７０Ｄとを備えている。なお、各領域は、導光板７０の中心軸Ｘ´に左右対称に配置されている。
【０１１３】
中央領域７０Ａ及び領域７０Ｂには、複数の第４の凹凸状部４１が配置されている。
【０１１４】
傾斜領域７０Ｃ、７０Ｄには、図１２に示すように、ＬＥＤ３１Ａ、３１Ｂから放射角度θｏで出射された光を放射角度θｏより小さい出光角度θｔで屈折させる第１の凹凸状部３０Ａが複数配置されている。例えばＬＥＤ３１ＡからＬＥＤ３１の正面方向（中心軸Ｘ２´）に対して第１の角度θ１（＝９０°−θｏ）をなす第１の方向に出射された光は、第１の凹凸状部３０Ａに入射し、中心軸Ｘ２´方向に対して第１の角度θ１より大きい第２の角度θ２をなす第２の方向に屈折する。
【０１１５】
本変形例では、ＬＥＤ３１Ａから出射され中心軸Ｘ２´方向に対して第１の角度θ１をなす第１の方向に進む光を中心軸Ｘ２´方向に対して第２の角度θ２をなす第２の方向に屈折させる複数の第１の凹凸状部３０Ａを備えているので、例えばＬＥＤ３１Ａから出射された光を、複数の第１の凹凸状部３０Ａにより第２の方向に屈折させ、第２の方向への光量をより増加させて、より効果的に輝度ムラの発生を抑制することができる。
【０１１６】
このとき、ＬＥＤ３１Ａ、３１Ｂの正面側の領域７０Ｂには、複数の第４の凹凸状部４１が配置されているので、ＬＥＤ３１Ａ、３１Ｂの正面の近く等で光が必要以上に漏れて明るくなり過ぎることを防止することができる。
【０１１７】
（第４の変形例）
【０１１８】
次に、第４の変形例の液晶装置を図面を参照しながら説明する。
【０１１９】
図１３は第４の変形例の液晶装置の導光板の概略平面図である。
【０１２０】
本変形例の液晶装置は、第３の変形例の導光板７０に代えて、導光板８０を備えている。
【０１２１】
導光板８０は、図１３に示すように、中心軸Ｙ´に対称に、ＬＥＤ３１Ｃ、３１Ｄ、第３の凹凸状部３０Ａ´、第４の凹凸状部４１が配置されている。中心軸Ｙ´は、導光板８０の長手方向（Ｘ方向）に直交するＹ方向に平行な軸であり、この長手方向（Ｙ方向）の中央を通過している。
【０１２２】
ＬＥＤ３１Ｃ、３１Ｄは、図１３に示すように、導光板８０の他側面３０ＣにＬＥＤ３１Ａ、３１Ｂに対応（対向）するように配置されている。なお、ＬＥＤ３１Ｃ、３１Ｄは、ＬＥＤ３１Ａ、３１Ｂに対応（対向）せずにずれて配置されていてもよい。
【０１２３】
導光板８０は、ＬＥＤ３１Ｃから出射され他側面３０Ｃに対して第３の角度θ３で進む光を、正面方向（Ｘ方向）に対して第３の角度θ３より大きい第４の角度θ４をなす方向に屈折させる第３の凹凸状部３０Ａ´を備えている。
【０１２４】
このように本変形例によれば、導光板８０の他側面３０Ｃに配置されたＬＥＤ３１Ｃ、３１Ｄを備え、導光板８０は、ＬＥＤ３１Ｃから出射され他側面３０Ｃに対して第３の角度θ３で進む光を、正面方向に対して第３の角度θ３より大きい第４の角度θ４をなす方向に屈折させる第３の凹凸状部３０Ａ´を備えている。これにより、例えば大型の導光板８０の一側面３０Ｂ側と、他側面３０Ｃ側との両側からＬＥＤ３１Ａ、３１Ｂ、３１Ｃ及び３１Ｄにより光を照射する場合に、ＬＥＤ３１Ａ、３１Ｂから出射された光を、第１の凹凸状部３０Ａによりそれぞれ第２の方向等に屈折させ、それぞれ領域Ｓに光を導き、輝度ムラの発生を抑制することができると共に、ＬＥＤ３１Ｃ、３１Ｄから出射された光を、第３の凹凸状部３０Ａ´によりそれぞれ屈折させ、それぞれ領域Ｓ´に光を導き、輝度ムラの発生を抑制することができる。
【０１２５】
なお、上記実施形態等では、例えば図２に示すように導光板３０の第１の凹凸状部３０Ａの断面形状が不規則な山と谷とを有する形状である例を示した。しかし、導光板の凹凸状部の断面形状はこれに限定されない。
【０１２６】
図１４は本発明に係る他の液晶装置の導光板の概略平面図である。
【０１２７】
例えば導光板９０は、図２に示す第１の凹凸状部３０Ａの代わりに、第１の凹凸状部３０Ａが配置されていた位置に平面的に重なるようにプリズム９０Ａが複数形成されている。プリズム９０Ａの先端部（稜線）と、導光板９０の一側面とのなす角の角度は、９０度より大きく（好ましくは１３０度以上）１５０度以下に設定されている。導光板９０の裏面側には、導光板９０の長手方向に亘る凹凸状部９０Ｂが形成されている。
【０１２８】
これにより、ＬＥＤ３１から出射されＬＥＤ３１の中心軸Ｘ´に対して第１の角度θ１をなす第１の方向に進みプリズム９０Ａに入射した光をプリズム９０Ａにより第１の角度θ１より大きい第２の角度θ２の方向に屈折させることができる。従って、従来ではＬＥＤ３１からの光が不足するおそれのあった第２の方向により多くの光を導き、輝度ムラの発生を抑制することができる。
【０１２９】
（第２の実施形態・電子機器）
【０１３０】
次に、上述した液晶装置１を備えた電子機器について説明する。
【０１３１】
図１５は本発明に係る携帯電話機の外観概略図、図１６はパーソナルコンピュータの外観概略図である。
【０１３２】
例えば、携帯電話機５００は、図１５に示すように複数の操作ボタン５７１の他、受話口５７２、送話口５７３を有する外枠に例えば、液晶装置１を備えている。
【０１３３】
また、パーソナルコンピュータ６００は、図１６に示すようにキーボード６８１を備えた本体部６８２と、液晶表示ユニット６８３とから構成されており、液晶表示ユニット６８３は外枠に例えば、液晶装置１を備えている。
【０１３４】
これらの電子機器は、液晶装置１の他に図示しないが表示情報出力源、表示情報処理回路等の様々な回路及びそれらの回路に電力を供給する電源回路等からなる表示信号生成部等を含んで構成される。
【０１３５】
更に液晶装置１には例えば、パーソナルコンピュータ６００の場合にあってはキーボード６８１から入力された情報に基づき表示信号生成部によって生成された表示信号が供給されることによって、表示画像が液晶装置１に表示される。
【０１３６】
本実施形態によれば、輝度ムラの発生を抑制可能な液晶装置１を備えるので、表示品位に優れた電子機器を得ることができる。
【０１３７】
尚、電子機器としては、他に液晶装置が搭載されたタッチパネル、プロジェクタ、液晶テレビやビューファインダ型、モニタ直視型のビデオテープレコーダ、カーナビゲーション、ページャ、電子手帳、電卓等が挙げられる。そして、これらの各種電子機器の表示部として、上述した例えば液晶装置１が適用可能なのは言うまでもない。
【０１３８】
また、本発明は上述したいずれの実施形態にも限定されず、本発明の技術思想の範囲内で適宜変更して実施できる。また、本発明の要旨を逸脱しない範囲において、上述した各実施形態及び変形例を組み合わせ得る。
【０１３９】
例えば上述した実施形態では、液晶装置の一例として薄膜トランジスタ素子アクティブマトリクス型の液晶装置について説明したがこれに限られるものではなく、例えば、薄膜ダイオード素子アクティブマトリクス型やパッシブマトリクス型の液晶装置であってもよい。
【図面の簡単な説明】
【０１４０】
【図１】本発明に係る第１の実施形態の液晶装置の概略斜視図である。
【図２】図１の液晶装置のＡ−Ａ断面図である。
【図３】図１の液晶装置の導光板の平面図である。
【図４】図３の導光板に入射した光の放射角と出光角との関係を示す図である。
【図５】導光板の第１の凹凸状部の概略拡大斜視図である。
【図６】図１の液晶装置の製造工程を示すフローチャートである。
【図７】第１の変形例の液晶装置の導光板の概略平面図である。
【図８】本発明に係る他の導光板の概略平面図である。
【図９】図７、図８の液晶装置の導光板のＢ−Ｂ断面図である。
【図１０】第２の変形例の液晶装置の導光板の概略平面図である。
【図１１】本発明に係る他の液晶装置の導光板の概略平面図である。
【図１２】第３の変形例の液晶装置の導光板の概略平面図である。
【図１３】第４の変形例の液晶装置の導光板の概略平面図である。
【図１４】本発明に係る他の液晶装置の導光板の概略平面図である。
【図１５】本発明に係る携帯電話機の外観概略図である。
【図１６】パーソナルコンピュータの外観概略図である。
【符号の説明】
【０１４１】
θｄ  傾斜角度、  θｏ  放射角度、  θ１  第１の角度、  θ２  第２の角度、  θ３  第３の角度、  θ４  第４の角度、  θｔ  出光角度、  θＡ  入射角、  θＢ  屈折角、θ５  第５の角度、  θ６  第６の角度、  θ９  第９の角度、  θ１０  第１０の角度、  Ｋ  境界面、  ｎ  法線、  Ｒａ  平均粗さ、  Ｒ１，Ｒ２，Ｓ，４０Ｂ，４０Ｃ，５０Ａ，５０Ｂ，７０Ｂ  領域、  Ｔ  薄膜トランジスタ素子、  Ｘ´，Ｘ２´，Ｙ´  中心軸、  １  液晶装置、  ２  液晶パネル、  ３  回路基板、  ４  照明装置、  ５  フレーム、  ６，７  基板、  ６ａ  張り出し部、  ７ａ  共通電極、  ８  シール材、  ９  ゲート電極、  １０  ソース電極、  １１  画素電極、  １２〜１４  出力配線、  １５〜１７  入力配線、  １８  ドライバＩＣ、  １９，２２  一端部、  ２０  ドライバ側出力端子、  ２３  可撓性基材、  ２４，２７，２８  配線、  ２５  ＡＣＦ、  ２６  ドライバ側入力端子、  ３０，４０，５０，６０，７０，８０，９０  導光板、  ３０Ａ  第１の凹凸状部、  ３０Ｂ，６０Ｂ  一側面、  ３０Ｃ  他側面、  ３０Ｄ，９０Ｂ  凹凸状部、  ３０Ｓ  光出射面、  ３１，３１Ａ，３１Ｂ，３１Ｃ，３１Ｄ  ＬＥＤ、  ３２  反射板、  ４０Ａ，７０Ａ  中央領域、  ４１  第４の凹凸状部、  ５０Ｃ，５０Ｄ中間領域、  ５１  第５の凹凸状部、  ６０Ａ  第７の凹凸状部、  ６１  第６の凹凸状部、  ７０Ｃ，７０Ｄ  傾斜領域，  ９０Ａ  プリズム、  ５００  携帯電話機、  ６００  パーソナルコンピュータ
【図１】
2008235141.tif 000003
【図２】
2008235141.tif 000004
【図３】
2008235141.tif 000005
【図４】
2008235141.tif 000006
【図５】
2008235141.tif 000007
【図６】
2008235141.tif 000008
【図７】
2008235141.tif 000009
【図８】
2008235141.tif 000010
【図９】
2008235141.tif 000011
【図１０】
2008235141.tif 000012
【図１１】
2008235141.tif 000013
【図１２】
2008235141.tif 000014
【図１３】
2008235141.tif 000015
【図１４】
2008235141.tif 000016
【図１５】
2008235141.tif 000017
【図１６】
2008235141.tif 000018